(57)【特許請求の範囲】
【請求項１】
遊技者が遊技機から獲得したパチンコ玉またはメダルを、前記遊技機とは別に設けられた遊技機島に設置されている計数機に、遊技者自身が投入して該計数機が計数し、その計数結果を数字やバーコード等で記載されたレシートまたはカードが該計数機の発行口（１）から発行されるまでの操作を遊技者がおこなうセルフ式景品玉計数機において、前記発行口（１）の近傍のパネル（２）には、前記パチンコ玉またはメダルの計数終了時に押す精算ボタン（３）と、該精算ボタン（３）を押すことによって計数終了の確認をメッセージで音声により発生する音声部（４）と、前記発行口（１）からパチンコ玉またはメダルの計数結果が記載されたレシートまたはカード発行を確認するための確認精算ボタン（５）と、該レシートまたはカードが発行される際に点滅する点灯部（６）とを配備してなる遊技機島のセルフ式景品玉計数機。
【請求項２】
前記音声部（４）から発生するメッセージは、前記パチンコ玉またはメダルの計数値の告知を含む、請求項１記載の遊技機島のセルフ式景品玉計数機。
【発明の詳細な説明】
【０００１】
【産業上の利用分野】
本発明は、獲得したパチンコ玉またはメダルを客が自分で精算して、レシートまたはカードを発行することができる遊技機島のセルフ式景品玉計数機に関する。
【０００２】
【従来の技術】
従来は、パチンコ玉またはメダルを計数するとともに、その計数結果を数字やバーコード等で記載されたレシートまたはカードを発行口より発行することができるセルフ式景品玉計数機において、本出願人が既に出願した特願平３−１７７０８１号にみられるように、そのようなセルフ式景品玉計数機を遊技機島内に設備することは知られており、また、特開昭５２−３０４７８号公報に見られるように、パチンコ玉の計数機にあって計数をデジタル表示するとともに、任意の倍数を計数した時、射幸心を助長するために装置より音および光を同時に発生するようにしたり、さらにまた、実開昭６３−５９６８５号公報にみられるように、従業員および遊技者が再度記憶することができるように、計数値を音声にて告知する装置と、景品数を音声にて告知する装置をパチンコ玉計数機に接続して設けることは知られている。
【０００３】
【発明が解決しようとする課題】
しかしながら、遊技機島に設備されたセルフ式景品玉計数機で、獲得したパチンコ玉またはメダルを客が自分で前記景品玉計数機に投入して計数し、該計数終了時に精算ボタンを押して発行口よりレシートまたはカードを発行して精算する場合、近くの遊技機より発生する騒音や点灯あるいは近くの客に気をとられてついつい精算ミスを生じがちになってしまい、しかも、精算ボタンを押してしまうと、精算結果が確認されないままに直に発行してしまったり、レシートまたはカードを受け取り損なってしまうようなセキュリティ上の不具合を呈していた。
【０００４】
なお、前記特開昭５２−３０４７８号や実開昭６３−５９６８５号公報に見られるような音や光がでるような装置を採用したとしても、それぞれは前記のように射幸心を助長したり、従業員および遊技者に告知するためのもので、前記のようにセキュリティ上の不具合を解決できるものではない。
【０００５】
【課題を解決するための手段】
本発明の第１の目的は、そのような不具合を課題として解決し、より一層のセキュリティを確保して景品玉を有効に精算可能とするものであり、そのため、パチンコ玉またはメダルを計数するとともに、その計数結果を数字やバーコード等で記載されたレシートまたはカードを発行口より発行することができるセルフ式景品玉計数機において、前記発行口の近傍のパネルには、前記計数機に投入されたパチンコ玉またはメダルの計数終了時に押すことになる精算ボタンと、該精算ボタンを押すと前記計数結果が記載されたレシートまたはカードを発行するか否かを確認するための確認のメッセージを音声により発生する音声部と、該音声部から前記レシートまたはカード発行のための確認のメッセージがでてから後に押すことになる確認精算ボタンと、前記発行口に接近させて前記レシートまたはカードが前記発行口より発行される際に点滅する点灯部とを配備してなるものである。
【０００８】
本発明第２の目的は、計数の値をも有効に告知可能とするものであり、そのため、音声部からは計数の値を告知可能にしたものである。
【０００９】
【作用】
したがって、景品玉計数機に、獲得したパチンコ玉またはメダルを客が自分で入れ、該計数機が計数し、該計数終了後、精算ボタンを押すと、音声部からは例えば「精算しても宜しいですか」といったような確認のメッセージの音声が発生する。客はこのメッセージを聞いて精算状態を再度確認しながら確認精算ボタンを押すと、発行口からは計数結果を数字やバーコード等で記載されたレシートまたはカードが発行される。その際に、発行口の近傍の点灯部が点滅して発行していることを確認することができることになり、充分なセキュリティを確保してレシートまたはカードを発行することができる。
【００１０】
前記音声部からは、レシートまたはカードが発行口より発行される際に、例えば「精算しても宜しいですか」といったような確認のメッセージの音声が発生する構成としているので、単純ながらも聞きやすくて気がつきやすい音声を発生させながら、レシートまたはカードの発行が確実に行なわれていることを、客が見落とさないように点灯部の点滅とともに適確に報知できる。
【００１２】
前記音声部からは計数の値を告知可能にすると、精算ボタンを押すことにより、計数の値を間違うことのないよう再確認のため音声によって有効に告知できる。
【００１３】
【実施例】
図１に示すように、パチンコ機あるいはスロットマシンである各遊技機Ｂを多数、並設して構成する遊技機島とは別に該遊技機島にセルフ式景品玉計数機Ａを取り付けて設備するが、該景品玉計数機Ａは、その下部前面側には上面にシャッタ７付きの玉投入口８を有してパチンコ玉またはメダルの収容箱を載置することができる計数部９を装備し、該計数部９の上方には収容箱用のストッパー１０、１０を装備し、上部前面の左側には、文字を表示したり、前記計数部９に投入したパチンコ玉またはメダルの例えば総玉数、景品数、余り玉数などを表示したりすることができるＬＥＤ表示部１１を装備して構成する。
【００１４】
前記景品玉計数機Ａの上部前面となる前記ＬＥＤ表示部１１の右側にはパネル２を配備するとともに、該パネル２には、前記計数部９で計数された計数結果を数字やバーコード等で記載されたレシートまたはカードを発行する発行口１を設けるが、該発行口１の下方には計数終了時に押して精算させることができる精算ボタン３を配備し、発行口１の上方には前記精算ボタン３を押すと例えば「精算しても宜しいですか」といったような確認のメッセージを音声により発生する音声部４を配備し、前記精算ボタン３の横側方には前記音声部４から確認のメッセージがでてから後に押すことになるレシートまたはカード発行を確認するための確認精算ボタン５を配備し、また、前記発行口１の上方近傍にはレシートまたはカードが発行口１より発行される際に点滅する点灯部６を配備して構成する。
【００１５】
なお、前記音声部４を発行口１の下方に配備したり、前記両ボタン３、５を発行口１の上方に配備したり、前記点灯部６は前記発行口１の近傍下方かあるいは発行口１の外周に配備して構成することもできる。
【００１６】
したがって、獲得したパチンコ玉またはメダルを客が自分で計数部９に入れて該計数部９が計数し、この計数終了後、精算ボタン３を押すと、音声部４からは例えば「精算しても宜しいですか」といったような確認のメッセージの音声が発生することになり、客はこのメッセージを聞いて精算状態を確認しながら確認精算ボタン５を押すと、発行口１からは計数結果を数字やバーコード等で記載されたレシートまたはカードを発行できることになり、その際には、発行口１の近傍の点灯部６が点滅して発行していることを確認することができることになり、充分なセキュリティを確保してレシートまたはカードを発行できることになる。
【００１７】
前記音声部４からは、レシートまたはカードが発行される際に例えば、「精算しても宜しいですか」といったような確認のメッセージの音声が発生する構成としているので、単純ながらも聞きやすくて気がつきやすい音声を発生させながら、レシートまたはカードの発行が確実に行われていることを、客が見落とさないように点灯部６の点滅とともに適確に報知できる。
【００１９】
前記音声部（４）からは計数の値を告知できるように構成すると、精算ボタンを押すことにより、計数の値を間違うことのないよう再確認のため音声によって有効に告知できる。
【００２０】
【発明の効果】
このように本発明は、遊技機島の景品玉計数機に、獲得したパチンコ玉またはメダルを客が自分で入れて計数するとともに、精算ボタン（３）を押すと、音声部（４）からは例えば「精算しても宜しいですか」といったような確認のメッセージの音声が発生することになって、客はこのメッセージを聞きながら周囲の騒音にまどわされることなく精算状態を再確認することができることになり、次いで、確認精算ボタン（５）を押すと、発行口（１）からは計数結果を数字やバーコード等で記載されたレシートまたはカードを間違うことなく発行できることになり、その際には、発行口（１）の近傍の点灯部（６）が点滅して、発行されていることを確認することができることになり、充分なセキュリティを確保してレシートまたはカードを発行できることになり、遊技機島のセルフ式景品玉計数機をセキュリティが万全となるものにして好適に実施できる特長を有する。
【００２３】
前記音声部（４）からは計数の値を告知できるように構成すると、精算ボタンを押すことにより、計数の値を間違うことのないよう再確認のため音声によって有効に告知できることになる。
【図面の簡単な説明】
【図１】本発明実施例のセルフ式景品玉計数機を示した斜視図である。
【図２】図１の一部である要部を示した正面図である。
【符号の説明】
１    発行口
２    パネル
３    精算ボタン
４    音声部
５    確認精算ボタン
６    点灯部
Ａ    セルフ式景品玉計数機
Ｃ    遊技機島
【図１】
0003732241.tif 000002
【図２】
0003732241.tif 000003